(57)【特許請求の範囲】
【請求項１】
２つの半径を含む扇形断面、または正方形断面を有し、扇形断面の２辺または正方形断面の４辺から長手方向に２つの平坦面または４つの平坦面が延びる本体部と、この本体部の長手方向の両端部に設けられた落し込み部とによって木材が形成され、前記落し込み部が地上に立設されたＨ鋼のフランジ部に落し込まれることにより前記長手方向の平坦面同士が相互に接触して本体部が上下に積み上げられる木製壁構造であって、
前記本体部の平坦面に、下方に開口した雨落し溝が長手方向に延びて設けられていることを特徴とする木製壁構造。
【請求項２】
前記Ｈ鋼のフランジ部に落し込まれた落し込み部と前記Ｈ鋼のフランジ部との間に隙間を埋める補間部材が、前記落し込み部と前記Ｈ鋼のフランジ部との間に挿入されていることを特徴とする請求項１に記載の木製壁構造。
【発明の詳細な説明】
【技術分野】
【０００１】
本発明は、木製壁構造に係り、より詳細には、炭素貯蔵効果が大きく、かつ、省エネ効果が大きい木製壁構造に関する。
【背景技術】
【０００２】
一般に、建設現場や騒音の大きな場所には遮音壁が設置される。遮音壁に木材を使用することは可能であるが、木製の遮音壁はコンクリート壁と比較して腐朽による劣化が早く炭素貯蔵効果を多く期待できず、木材生産時のエネルギー消費も少なくなく高価である。そのため木製の壁には、炭素貯蔵効果を高めるために、（１）腐朽しにくい構造であること。（２）使用済み木材であっても再利用（二酸化炭素の長期固定化に貢献）できること（３）乾燥や収縮に強く割れなどが生じないこと。さらに省エネ効果を高めるために、（４）施工が容易であること。（５）木材の捨てる部分が少なくて歩留まりがよいこと。（６）複雑な形状がなく加工が容易であること。そして遮音壁の機能を果たすために、（７）遮音性が高いこと。などが求められている。
【０００３】
特許文献１には、短手方向の断面形状が台形の木材を斜めに積み上げた建物の壁構造が示される。木材と木材の積み重ね面を斜めとして雨水が隙間に入りにくい構造としている。しかしながら、木材には上下に連結するための溝加工や溝に嵌め込むほぞ板が必要であり、また、壁が両側とも屋外にさらされる場合には、壁の他方の側の壁の耐水性があまりない。
【０００４】
特許文献２には、角材の対向する２つの角が垂直になるように配置され、角の部分に連結のための溝が設けられた建物の壁構造が示されている。角材の長手方向の４面をいずれも斜めに傾けて、水はけが良好で腐蝕しにくい効果を得ている。しかしながら、角材の上下の連結部分は厚さがなく遮音性が低く、上下に連結するための溝加工が必要となる。
【先行技術文献】
【特許文献】
【０００５】
【特許文献１】特開平１０−１１５０３１号公報
【特許文献２】特開２００６―１３８２００号公報
【発明の概要】
【発明が解決しようとする課題】
【０００６】
本発明の目的は、炭素貯蔵効果が大きく、かつ、省エネ効果が大きい木製壁構造を提供することにある。特に、施工を容易にすることで生産時消費エネルギーを少なくする省エネ効果を高めると共に、腐朽しにくくすることで高耐久化をはかり炭素貯蔵効果の高い構造を提供することにある。
【課題を解決するための手段】
【０００７】
本発明による木製壁構造は、２つの半径を含む扇形断面、または正方形断面を有し、扇形断面の２辺または正方形断面の４辺から長手方向に２つの平坦面または４つの平坦面が延びる本体部と、この本体部の長手方向の両端部に設けられた落し込み部とによって木材が形成され、前記落し込み部が地上に立設されたＨ鋼のフランジ部に落し込まれることにより前記長手方向の平坦面同士が相互に接触して本体部が上下に積み上げられる木製壁構造であって、
前記本体部の平坦面に、下方に開口した雨落し溝が長手方向に延びて設けられていることを特徴とする。
【０００８】
前記Ｈ鋼のフランジ部に落し込まれた落し込み部と前記Ｈ鋼のフランジ部との間に隙間を埋める補間部材が、前記落し込み部と前記Ｈ鋼のフランジ部との間に挿入されていることを特徴とする。
【発明の効果】
【０００９】
本発明の木製壁構造によれば、木材の本体部の一側面に、長手方向に延びる雨落し溝を設けたので、実施例１〜４の図５、図６、図８、図１０に示すように、傾斜面を回り込んだ雨水が滴となって落下し、積み重ね面に侵入せず、腐朽しにくい構造にできる。
【００１０】
落し込み部とＨ鋼のフランジ部の内面との間に、三角形の断面を有する補間部材を挿入するようにしたので、実施例２（図７）、実施例３（図９）に示すように、矩形状のＨ鋼のフランジ部の空間に隙間がなく、木材をＨ鋼に安定して固定できる。また、遮音性も向上できる。
【図面の簡単な説明】
【００１１】
【図１】本発明による木製壁構造の側断面図である。（実施例１）
【図２】図１の木材をＨ鋼に落し込む個所の斜視図である。（実施例１）
【図３】図１の木材がＨ鋼に落し込まれた場合の平面図である。（実施例１）
【図４】図３のＡ−Ａ断面図である。（実施例１）
【図５】図１の木材の短手方向の断面図である。（実施例１）
【図６】本発明による木製壁構造の斜視図である。（実施例２）
【図７】図６の木材をＨ鋼に落し込む個所の断面図である。（実施例２）
【図８】本発明による木製壁構造の斜視図である。（実施例３）
【図９】図６の木材をＨ鋼に落し込む個所の断面図である。（実施例３）
【図１０】本発明による木製壁構造の斜視図である。（実施例４）
【発明を実施するための形態】
【００１２】
以下、図面を参照して、本発明による木製壁構造について説明する。
【実施例１】
【００１３】
図１は、本発明による木製壁構造１００（実施例１）の側断面図である。木製壁構造１００は、複数の短手方向の断面が扇形の木材１の頂角が互いに向かい合わせとなるように積み重ねられ、壁１２が構成される。扇形の側面である平坦面どうしを面接触させる。面接触させた積み重ね面１３は、扇形の頂角の二分の一の角度（ここでは４５度）に傾斜させている。壁１２の頂部には雨よけの屋根２を設け、壁１２の下部には上面が傾斜したコンクリートの地際部３を基礎１０の上に設けた。地際部３の上面を傾斜させたので、雨水が溜りにくくできる。図１に示すように、木製壁構造１００は厚さがあるので、例えば右側から来る騒音は減衰されて左側に出る。木製壁構造１００は、加えて気流をブロックすることもできる。木材１の扇形の頂角は９０度である。このような木材１は、丸太を長手方向に切断して４等分することで得られる。実施例１は、割れにくいので、太径の丸太を用いる時に適している。
【００１４】
図２は、図１の木材１をＨ鋼５に落し込む個所の斜視図である。木材１の両側をＨ鋼５に差し込んで積み重ねる。木材１は、本体部１４と長手方向の両側の落し込み部６からなる。落し込み部６は側面の形状（すなわち短手方向の断面の形状）が台形をしており、Ｈ鋼５のフランジ部１１の間に落し込まれる。落し込み部６がフランジ部１１の間に落し込まれた状態では、台形の１辺の側面どうしが互いに面接触される。上下の台形の組は、平行四辺形を形成しており、これによってフランジ部１１の間を埋めている。
【００１５】
なお、図２で壁１２の高さが低い場合には、木材１に落とし込み部６を設けず直接Ｈ鋼５に落とし込んでもよい。
【００１６】
図３は、図１の木材１がＨ鋼５に落し込まれた場合の平面図である。木材１の落し込み部６は、固定金具７によってＨ鋼５のフランジ部１１の内側に密着させ固定することができる。木材１が末口元口で太さが異なる場合、扇形の頂角の位置は丸太の中心で同じで半径が異なるだけなので、落し込み部６の位置が、壁の頂部から両端で同じ位置に来るように加工する。
【００１７】
図４は、図３のＡ−Ａ断面図である。（Ａ）は落し込み部の台形の高さがすべて同じ場合で、（Ｂ）は落し込み部の台形の高さに２種類を設けた場合である。図４（Ａ）に示すように、Ｈ鋼５の頂部には雨よけのキャップ４が冠せられる。落し込み部６の台形の斜辺の側面どうしが互いに面接触される。固定金具７は、台形の上辺または底辺をフランジ部１１の内壁に押し付けている。図４（Ｂ）に示すように、落し込み部６を１つ置きの固定金具７で押し込めば、落し込み部６’も押し込むことができる。ここで台形の高さはｂ＜ｂ’とする。なお、Ｈ鋼５のフランジ部１１に、落し込み部６の台形の幅を合致させてもよい。落し込み部６の台形の頂角の側に切り込み幅を大きくすることで、図３の中段に示すように、木材１の頂角を壁１２の表面から突出させることができる。
【００１８】
図５は、図１の木材１の短手方向の断面図である。木材１は、互いに向かい合わせて積み重ねられる。また、扇形の頂角が表面と裏面から突出するように積み重ねられる。木材１の一側面には、木材１の長手方向に延びる雨落し溝８が設けられる。雨落し溝８は、傾斜面を回り込んだ雨水を滴となって落下させ、木材の積み重ね面に流れ込まないようにできる。積み重ね面１３の幅は、遮音性能に合わせて長さを変えることができる。
【実施例２】
【００１９】
図６は、本発明による木製壁構造２００の斜視図（実施例２）である。木製壁構造２００は、複数の短手方向の断面が直角三角形の木材１を互いに向かい合わせ、直角三角形の長辺を面接触させ、上下にずらして垂直となるように正立させ、これを積み重ねて構成したものである。木材１を上下にずらしているので壁１２の厚さを確保できる。実施例２では、直角三角形は直角２等辺三角形であり２つの底角は４５度である。短手方向の断面が直角２等辺三角形の木材１は、丸太から短手方向の断面が正方形の角材を形成し、長手方向に切断することで得られる。
【００２０】
木材１の両端は、そのままＨ鋼５のフランジ部１１の間に落し込まれる。落し込み部６は特別の加工を必要としない。木材１が積み上げられた状態では、角の部分が表面と裏面から突出する。木材１の一側面には、木材１の長手方向に延びる雨落し溝８が設けられる。雨落し溝８は、傾斜面を回り込んだ雨水を滴となって落下させ木材１の積み重ね面に流れ込まないようにできる。
【００２１】
図７は、図６の木材１をＨ鋼５のフランジ部１１の間に落し込む個所の断面図である。補間部材９は、木材１の両端をＨ鋼５のフランジ部１１の間に落し込む際に合わせて落し込む。補間部材９は、実施例２では側面の形状が直角三角形であり、木材１の落し込み部６とフランジ部１１の間の隙間を埋めるものである。上下の補間部材９と落し込み部６の組は平行四辺形を形成する。平行四辺形によってフランジ部１１の間を埋めている。これにより、安定して木材１をＨ鋼に取り付けることができる。隙間がないから隙間から音が漏れないようにできる。
【実施例３】
【００２２】
図８は、本発明による木製壁構造３００の斜視図（実施例３）である。木製壁構造３００は、複数の短手方向の断面が正方形の木材１を互いに向かい合わせて面接触させ、木材１の対向する角が垂直な線上に位置するように傾け、これを積み上げて構成した壁１２を構成したものである。壁１２は、正方形の対角線の長さに確保できる。木材１が積み上げられた状態では、角の部分が表面と裏面から突出する。木材１の一側面には、木材１の長手方向に延びる雨落し溝８が設けられる。雨落し溝８は、傾斜面を回り込んだ雨水を滴となって落下させ木材１の積み重ね面に流れ込まないようにできる。断面が正方形の木材は再利用しやすい。図８では、木材１の両端の落し込み部６は、特別な加工がなく、正方形のままの形状で落し込み部６となっている。実施例３は、小径木から得られる小径の木材を利用した木製壁に適している。
【００２３】
図９は、図８の木材１をＨ鋼５のフランジ部１１の間に落し込む個所の断面図である。補間部材９は、木材１の両端をＨ鋼５のフランジ部１１の間に落し込む際に合わせて落し込まれる。補間部材９は側面の形状が直角三角形であり、木材１の落し込み部６とフランジ部１１の間の隙間を埋める。上下の補間部材９と落し込み部６の組は平行四辺形を形成する。平行四辺形によってフランジ部１１の間を埋めている。壁１２の下部には上面が傾斜したコンクリートの地際部３を基礎の上に設ける。
【実施例４】
【００２４】
図１０は、本発明による木製壁構造の斜視図である。実施例４は、図８の落し込み部６の一部を切り欠いて、短手方向の断面を直角三角形としたものである。引出円の中に示すように、木材１を積み重ねた状態では、２つの直角三角形が平行四辺形になってＨ鋼５のフランジ部１１の間を埋めるので、補間部材９は必要ない。Ｈ鋼５の幅は、図９の場合よりも狭いものが使用できる。側面の形状を直角三角形とせず、実施例１の図２のように台形となるように加工してもよい。壁１２の下部には上面が傾斜したコンクリートの地際部３を基礎の上に設ける。
【産業上の利用可能性】
【００２５】
本発明は、炭素貯蔵効果と省エネ効果が大きい木製壁構造として適している。
【符号の説明】
【００２６】
１    木材
２    屋根
３    地際部
４    キャップ
５    Ｈ鋼
６、６’    落し込み部
７    固定金具
８    雨落し溝
９、９’    補間部材
１０    基礎
１１    フランジ部
１２    壁
１３    積み重ね面
１４    本体部
１００、２００、３００    木製壁構造
【図１】
0005691096.tif 000002
【図２】
0005691096.tif 000003
【図３】
0005691096.tif 000004
【図４】
0005691096.tif 000005
【図５】
0005691096.tif 000006
【図６】
0005691096.tif 000007
【図７】
0005691096.tif 000008
【図８】
0005691096.tif 000009
【図９】
0005691096.tif 000010
【図１０】
0005691096.tif 000011